(57)【特許請求の範囲】
【請求項１】
検体の分析を行う生化学分析装置において、
検体ラックを検体ラック搬送部に投入する検体投入部と、
投入された検体ラックを分析部へ搬送する検体ラック搬送部と、
検体ラックの検体の分析を行う機能の異なる複数の分析部と、
分析済みの検体ラックを収納する検体収納部と、
再分析のために検体ラックを一時的に収納する再検バッファと、
前記検体ラックの搬送を制御する制御部とが独立して構成されており、
前記複数の分析部と再検バッファとは、検体投入部と検体収納部との間に前記検体ラック搬送部の長手方向に沿って横一列となるように配置されると共に、
前記検体投入部と複数の分析部と再検バッファと検体収納部とは、それぞれの筐体の背面部を介して前記検体ラック搬送部に着脱可能に連結され、
前記検体ラックの搬送部は、その上面に着脱可能な蓋を備えた往路と復路とを有し、
前記検体投入部と複数の分析部と再検バッファと検体収納部の筐体は、奥行寸法が同一であり、その設置床面からの高さ寸法は、前記検体ラックの搬送部の蓋までの高さと同じ８５０ｍｍから９５０ｍｍの範囲に設定され、
更に、前記検体投入部と複数の分析部と再検バッファと検体収納部の筐体の正面は、横幅寸法の基準となる１つの寸法単位で左右に分割された複数の分割パネルで構成されていることを特徴とする生化学分析装置。
【請求項２】
請求項１記載の生化学分析装置において、
横幅寸法の基準となる１つの寸法単位は、検体ラックの長手方向の寸法であることを特徴とする生化学分析装置。
【請求項３】
請求項１または２記載の生化学分析装置において、
前記複数の分析部の１つは、前記筐体の上面に試薬保冷蔵庫を突出させて設け、前記筐体の前面には他の装置と視覚的に識別ができる機能識別部を施していることを特徴とする生化学分析装置。
【請求項４】
請求項１、２または３記載の生化学分析装置において、
前記制御部は、前記分析部で分析された検体ラックを再検バッフアに搬送させ、分析作業の異常の有無を判定し、異常のない検体ラックを検体収納部に搬送させ、再検査の必要な検体ラックを該当する分析部に再送させることを特徴とする生化学分析装置。
【発明の詳細な説明】
【０００１】
【発明の属する技術分野】
本発明は、例えば、血液や尿などの生化学分析や免疫分析などの臨床分析装置において、検体の供給，搬送，分析，収納といった一連の動作を自動的に行う生化学分析装置に関するものである。
【０００２】
【従来の技術】
従来の自動的に行う生化学分析装置は、検体が並べられた検体ラックを投入する検体投入部と、分析が終了した検体を収納する検体収納部とを両端に配置し、上記検体投入部と検体収納部との間に、複数の分析部を分析用途にあわせて組み合わせて一直線状に配置したシステムが知られている。
【０００３】
なお、検体投入部と検体収納部と分析部との後方側には、検体ラックを搬送する検体ラック搬送部が一体的に構成されており、上記検体ラック搬送部により、検体投入部と検体収納部と分析部とが間接的に連結されている。
【０００４】
また、日本国特許公開番号平成３年第２８５１７４号公報には、検体投入部と検体投入部と隣接した分析部の間、隣接した分析部間、分析部と隣接した検体収納部間に、検体ラック搬送部を連結するための連結部が設けられ、上記連結部の外側寸法と内側寸法とを異なる寸法で構成し、自動的に行う生化学分析装置をＬ字形あるいはＵ字形に配置できるようにし、検査技師（専門に行う技師と、それ以外の人も含む）の移動距離や、生化学分析装置が配置される部屋の空間の有効利用を図ることが示されている。
【０００５】
【発明が解決しようとする課題】
しかしがら、上記従来例では生化学分析装置を一直線状以外に配置することが可能になるが、連結部を構成したことにより、生化学分析装置全体の設置面積は増えることになる。また、一直線状以外にも配置が可能なことから、直線距離が短い検査室であっても据付けが可能となり、大型の検査室を必要としない省スペース化が提案されているが、検査室の環境や技師の求める使い勝手においては記載されていない。
【０００６】
一方、通常の検査室では、上記複数の分析部は、検査項目や処理スピードの相違により、多種多様な大きさや形状をしており、分析部の高さは、女性の視点高さより高く構成されており、検査室全体を見渡すことができない。
【０００７】
さらには、検査時間の短縮や検査項目の追加などの必要により、当初の生化学分析装置にさらに他の分析部を増設したり、分析部の老朽化にともない装置の入替えが必要となった時に、結果として様々な寸法の分析部や周辺機器が雑然と並べられることになる。
【０００８】
このことにより、検査室内を狭苦しく薄暗い雰囲気としており、検査室の環境を損ねる問題があった。
【０００９】
単一の分析装置を検査室に設置した場合には、大きな問題を生じないが、幾つもの分析装置を連結して設置した場合には、生化学分析装置自体が検査室の環境の一部となり、検査技師の生活空間ともなる検査室の環境は、作業効率に大きな問題となる。
【００１０】
また、複数の分析装置が並べられた場合に、一見して何処にどの装置が配置されているのかが容易に認識することができず、検査技師に対して不必要な視角的要素を提供し、迅速で確実な検査を行うことを阻害することになっている。
【００１１】
さらにまた、生化学分析装置が検体の供給、搬送、分析、収納といった一連の動作を自動的に行うとしても、検査技師は常に装置を最良の状態を保つために、サンプリング機構の調整、部品類の交換、試薬の補充、装置の稼働状況の確認などを行う必要がある。筺体の大きさが異なり、操作面の高さ位置が様々である分析部を並べて上記作業を行うためには、背伸びをしたりしゃがんだりしなければならず、簡単さや迅速さに欠けるので、生化学分析装置の処理能力を十分に引き出すことできない問題があった。
【００１２】
また、複数の分析部の中で、どれか一つの分析部が故障した時には、各分析部に検体ラック搬送部が設けられているために、故障した分析部を使用しない検査であっても、修理が完了するまで検査作業を中止しなければならない問題があった。
【００１３】
また、故障や老朽や高性能化などの理由により、複数の分析部の中で、どれか一つの分析部の交換を行う場合に、新規の分析部の取付けは、検体ラック搬送部の位置合わせと、分析部の筐体の位置合わせが必要となる。
【００１４】
さらにまた、交換する分析部の配置位置が検体投入部と検体収納部との間であれば、検体投入部か検体収納部かどちらかを基準にして、他の分析部を移動しなければならず、交換に多くの労力と時間を必要とする問題があった。
【００１５】
従って、本発明の目的とするところは、検査室の環境を安全で、清潔、そして高い信頼性を維持できる整った環境を提供し、検査技師が心地良い緊張感が維持できる整然と管理された操作環境を実現できる自動的に行う生化学分析装置を提供することにある。
【００１８】
【課題を解決するための手段】
本発明は、前記目的を達成するため、検体の分析を行う生化学分析装置において、検体ラックを検体ラック搬送部に投入する検体投入部と、投入された検体ラックを分析部へ搬送する検体ラック搬送部と、検体ラックの検体の分析を行う機能の異なる複数の分析部と、分析済みの検体ラックを収納する検体収納部と、再分析のために検体ラックを一時的に収納する再検バッファと、前記検体ラックの搬送を制御する制御部とが独立して構成されており、前記複数の分析部と再検バッファとは、検体投入部と検体収納部との間に前記検体ラック搬送部の長手方向に沿って横一列となるように配置されると共に、前記検体投入部と複数の分析部と再検バッファと検体収納部とは、それぞれの筐体の背面部を介して前記検体ラック搬送部に着脱可能に連結され、前記検体ラックの搬送部は、その上面に着脱可能な蓋を備えた往路と復路とを有し、前記検体投入部と複数の分析部と再検バッファと検体収納部の筐体は、奥行寸法が同一であり、その設置床面からの高さ寸法は、前記検体ラックの搬送部の蓋までの高さと同じ８５０ｍｍから９５０ｍｍの範囲に設定され、更に、前記検体投入部と複数の分析部と再検バッファと検体収納部の筐体の正面は、横幅寸法の基準となる１つの寸法単位で左右に分割された複数の分割パネルで構成されている。
【００２０】
【発明の実施の形態】
以下、本発明をより詳細に説述するために、添付の図面に従ってこれを説明する。
【００２１】
図１は本発明の生化学分析装置の外観を示す斜視図、図２は図１における分析部Ａの縦断面、図３は図１における分析部Ａと作業者の高さ寸法の関係を示す図、図４は図１における分析部Ｂにおける作業範囲を示す図である。
【００２２】
なお、図２及び図３において、検体ラック搬送部２０と検体投入部１と電解質分析部２と分析部Ａ３と分析部Ｂ４と再検バッファ５と検体収納部６とは、理解を容易にするためにそれぞれを分離して図示しているが、本来はそれぞれの筐体が接触する面には隙間を有していない。
【００２３】
図１及び図２において、本発明の生化学分析装置は、検体が収納された検体ラックを投入する検体投入部１と、電解質分析部２と、試薬保冷庫３０が筐体の上面に突出させて設けられた分析部Ａ３と、分析部Ｂ４と、再分析のために検体ラックを一時的に収納する再検バッファ５と、分析が終了した検体ラックを収納する検体収納部６とが横一列に設けられている。
【００２４】
上記検体投入部１と、電解質分析部２と、分析部Ａ３と、分析部Ｂ４と、再検バッファ５と、検体収納部６とは、背面側に設けられた検体ラックを搬送するコンベアなど検体ラックの流れを制御する検体ラック搬送部２０を介して、相互に連結するように構成されている。
【００２５】
なお、検体ラック搬送部２０は、検体ラックが検体投入部１から検体収納部６に向かって進む往路２１と、往路２１とは逆の方向に進む復路２２が設けられ、検体ラック搬送部２０の上面には、透明な着脱可能な蓋２３が設けられている。
【００２６】
また、上記検体投入部１と、電解質分析部２と、分析部Ａ３と、分析部Ｂ４と、再検バッファ５と、検体収納部６とは、同一な形状と寸法としたベース部７を構成しており、あたかもベース部７により一つに束ねられているような印象を提供している。
【００２７】
なお、上記分析部Ａ３は、分析項目は少ないが分析に要する時間が速いものであり、上記分析部Ｂ４は分析項目が多く分析に要する時間が遅いという機能を有しており、分析作業の内容により使いわけて利用される。
【００２８】
また、上記各装置の正面側には、後述する各装置の横幅寸法の基準となる寸法単位で、スリット８ａ〜８ｒが設けられている。
【００２９】
このことにより、検査設備に合わせて少なくとも２個以上の独立した装置を並べたシステムであっても、それぞれの装置の寸法が規則正しく規格化されていること、及び各装置に配置されたベース部７とスリット８により、作業工程の順に従い機能領域が並べられ、連続した一体の装置として表現することができる。
【００３０】
なお、上記スリット８ａ〜８ｒは、本実施例では溝として図示しているが、これにこだわるものではなく、視覚的に連続していることを認識できるものであれば、上記スリット８ａ〜８ｒが施された筐体より突出したものであっても、あるいは平滑な面で色彩を施したものであっても良い。
【００３１】
また、上記スリット８ａ〜８ｒは、溝と突出部と色彩とを組合せて構成しても良い。
【００３２】
さらにまた、分析部Ａ３と分析部Ｂ４との正面側には、そこが検体に試薬を混合させ検体の成分を分析する分析部であることを示す機能識別部９ａ，ｂが構成されており、上記各分析部の上面部には、検査技師が検査作業を行う時に、蓋の開閉やサンプルプローブ等の調整や試薬等の消耗品の交換等の作業を行う部位、あるいは、図示されていない操作の指示を行うための操作部を示す部位であるユーザ領域を示すステージ１０ａ、ｂが構成されている。
【００３３】
上記機能識別部９ａ、ｂを構成したことによりは、少なくとも２個以上の寸法が規格化された装置が並んだ生化学分析装置において、検査技師は、装置から離れた位置であっても、また装置に接近した位置であっても、一見してどこに何が配置されているのかを即座に認識することができ、無駄な視線の動きや移動を行うことが防止できる。
【００３４】
また、ステージ１０ａ、ｂを構成したことにより、検査技師が直接装置に触れる必要のある部位が瞬時に認識できることになる。
【００３５】
なお、上記機能識別部９ａ、ｂは、各分析部の筺体より突出した状態で図示しているが、本実施例はこれにこだわるものではなく、視覚的に他の装置との識別ができるものであれば、凹状であってもあるいは平滑な面で色彩を施したものであっても良い。
【００３６】
また、上記ステージ１０ａ、ｂにおいても、各分析部の上面に別部材として構成しているが、本実施例はこれにこだわるものではなく、視覚的に他の装置との識別ができるものであれば良く、各分析部の上面に直接に色彩を施したものであっても良い。
【００３７】
なお、上記ステージ１０ａ、ｂは、色彩と形態の組合せで表現したほうが、他の装置との識別ができるので、検査技師が瞬時にかつ正確に所在を認識でき、さらに効果的である。
【００３８】
次に、本発明の装置の外観寸法について説明する。
【００３９】
分析部Ａ３は、高さ寸法ｈ１を８５０ｍｍ〜９２０ｍｍとし、ステージ１０ａまでの高さ寸法ｈ２を８５０ｍｍ〜９５０ｍｍとし、試薬保冷庫３０までの高さ寸法ｈ３を１３５０ｍｍ〜１６５０ｍｍとなるように構成している。
【００４０】
また、分析部Ａ３の奥行き寸法ｄ２は、６５０ｍｍ〜７５０ｍｍとし、検体ラック搬送部２０の往路２１の中心位置から手前側の奥行き寸法ｄ１を７５０ｍｍ〜８００ｍｍとなるように構成している。
【００４１】
なお、詳細な図示はしないが、分析部Ｂ４の高さ寸法と奥行き寸法と、ステージ１０ｂの高さ寸法は、分析部Ａ３で説明した寸法と同一としている。
【００４２】
また、検体投入部１と再検バッファ５と検体収納部６とは、分析部Ａ３に構成されたステージ１０ａに替えて蓋１１ａ、ｂ、ｃを構成しており、電解質分析部２はステージ１０ａに替えて天板１２を構成させているが、上記検体投入部１と再検バッファ５と検体収納部の高さ寸法と蓋１１ａ、ｂ、ｃや天板１２までの高さ寸法は、分析部Ａ３で説明した高さ寸法と同一としている。
【００４３】
さらにまた、検体ラック搬送部２０の高さ寸法は、検体ラックの高さ寸法が７０ｍｍであり、分析部Ａ３の上面高さから検体ラック搬送部２０を露出させないことから、検体ラック搬送部２０に構成された蓋２３までの高さｈ４を８５０ｍｍ〜９５０ｍｍとし、検体ラック搬送部２０の全高寸法をｈ５を７６０ｍｍ〜９５０ｍｍとし、図示しない、コンベアラインまでの高さ寸法ｈ６を６９０ｍｍ〜７９０ｍｍとなるように構成している。
【００４４】
なお、日本人の成人女性の標準的身長ｈ８は１５８０ｍｍで、その視点の高さ寸法ｈ７は１４６０ｍｍであることから、上記のように、生化学分析装置の全高を８５０ｍｍ〜９５０ｍｍに規格化したことにより、上記生化学分析装置の高さを検査技師の視点の高さ寸法より低くすることになる。
【００４５】
自分の視点より高いものが存在していると、圧迫感を感じてしまい実際以上に狭い空間として認識してしまうが、検査室全体が見渡せると、人の感覚機能を制御し明るく広々とした空間として認識することができる。
【００４６】
その結果として、快適な環境を提供し精神的な圧迫感を低減させ、長時間の検査作業においても疲労感を柔らげ、検査作業に集中することができる。
【００４７】
また、装置の奥行き寸法を統一したことにより、装置の正面側と背面側とは凹凸がなく、設置面に無駄が生じないので省スペース化が図られる。さらには、外観に凹凸が無い状態で連続していることから、視覚的なノイズを低減することができる。
【００４８】
さらに、上記寸法を有する自動的に行う生化学分析装置において、日本人の成人女性が立ち姿勢で、無理の無い前傾姿勢ａである３０度の範囲で前傾姿勢をとると、手を延ばしたときに手の届く奥行き寸法ｄ２が７００ｍｍ〜８００ｍｍとなる。
【００４９】
このために、検体ラック搬送部２０の往路２１の中心位置まで、無理な姿勢を取ること無く手が届くことになる。
【００５０】
このことにより、検査中に一番奥側にある検体ラック搬送部２０に異常が発生しても、作業姿勢を変えたり無理な姿勢をとることなく必要な部位に手が届き、安全にかつ迅速に正確な作業を行うことができる。
【００５１】
なお、分析部Ａ３に設けられた試薬保冷庫３０内には、試薬液が収納された試薬容器３１が納められ、試薬溶液用チューブ３２により分析部Ａ３に試薬液を供給するようになっている。
【００５２】
試薬保冷庫３０の正面部には、上面の奥行き寸法より下面の奥行き寸法が大きな開放部を構成し、上記開放部を覆う透明な開閉蓋３３’は湾曲した面で構成している。
【００５３】
上記試薬保冷庫３０は、高さ寸法ｈ３を１３５０ｍｍ〜１６５０ｍｍで構成されており、日本人の成人女性の場合には視点より低い位置に、もしくは僅かに目線を上向きとするだけで容易に試薬容器３１内の残量を確認することができる。
【００５４】
また、日本人の成人女性よりも背の高い人であっても、試薬保冷庫３０の上面が大きく開放されていることから、目線を落すことで容易に試薬容器３１内の残量を確認することができる。
【００５５】
さらにまた、開閉蓋３３’を湾曲した面で構成したために、開閉蓋３３’内に結露が生じても、試薬容器３１内に水滴が落ちることがない。
【００５６】
図５は本発明の自動的に行う生化学分析装置の横幅寸法の関係を示す平面図である。
【００５７】
次に、図５に基づき、本発明の実施例における各装置の横幅寸法について説明する。
【００５８】
本発明の装置は、検体を収納している検体ラックを検体ラック搬送部２０により、各分析部に運び自動的に分析作業を行うことから、各装置の横幅寸法を検体ラックの長手方向の寸法を基準として構成している。
【００５９】
駆動部を含む検体ラックの長手方向の寸法が１５０ｍｍであり、検体投入部１と電解質分析部２と再検バッファ５と検体収納部６との横幅寸法ｗ１、ｗ２、ｗ５、ｗ６は、検体ラックの長手方向の寸法の倍数でである３００ｍｍとして構成している。
【００６０】
また、分析部Ａ３と分析部Ｂ４とは、それぞれの横幅寸法ｗ３、ｗ４はその横幅寸法を検体ラックの長手方向の寸法の倍数である１２００ｍｍとして構成している。
【００６１】
さらに、検体投入部１と分析部Ａ３と分析部Ｂ４と再検バッファ５と検体収納部６との正面側には、検体ラックの長手方向の寸法である１５０ｍｍの単位で、スリットを構成している。
【００６２】
上記のように、装置の筺体の高さ寸法や横幅寸法を規格化し、さらに、当間隔でスリットを構成したことにより、少なくとも２個以上の独立した分析部を検査室に並べた場合でも、装置としての連続間を表現することができる。
【００６３】
このことにより、検査技師にたいして視覚的なノイズを低減することができる。
【００６４】
図６は本発明の生化学分析装置の構造体の関係を示す概念図、図７は検体の流れを示す概略図である。
【００６５】
図６及び図７に基づき本発明の生化学分析装置の据付け方法と、検体の流れを説明する。なお、図６で示す矢印は、両者の位置関係に精度を求められることを示している。
【００６６】
まず、検査室の設備能力や生化学分析装置の配置が決まると、各分析部の横幅寸法が規格化されていることから、必要とする検体ラック搬送部２０の長さが決定される。
【００６７】
検査室に検体ラック搬送部２０の配置が完了すると、検体投入部１と電解質分析部２と分析部Ａ３と分析部Ｂ４と再検バッファ５と検体収納部６とを、検体ラック搬送部２０に接続する。
【００６８】
この際に、検体投入部１と再検バッファ５と検体収納部６と電解質分析部２に構成されているサンプルプローブ３２ａとは、検体ラック搬送部２０に構成されている搬送ラインとの接続に精度を持たせる必要がある。
【００６９】
なお、分析部Ａ３の構造体は、引込みバッファ３３とサンプルプローブ３２と反応ディスク３５と試薬プローブ３８と検体ラック排出部３７で構成されたサブモジュールＡ１４と、図示されていない電装基板とポンプと洗浄液とで構成されたサブモジュールＢ１５と、試薬保冷庫３０はサブモジュールＣ１６とに分類されて構成されている。
【００７０】
また、分析部Ｂ４の構造体は、上記サブモジュールＡ１４に試薬ディスク３６を加え、上記サブモジュールＣ１６を除いた状態で構成されている。
【００７１】
上記構造体において、引込みバッファ３３は搬送ラインとの接続に精度を持たせる必要があり、サブモジュールＡ１４に含まれる構造体はそれぞれに接続に精度を持たせる必要がある。
【００７２】
次に、検体の流れを説明する。検体投入部１に並べられた検体ラック４０ａ、ｂは、検体ラック搬送部２０に移載された後、臨床生化学検査で最も検査依頼頻度の高い電解質分析部２に運ばれる。
【００７３】
上記電解質分析部２には、検体ラック搬送部２０上の検体ラック４０ｃから直接試料を採取できるサンプルプローブ３２ａが設けられてある。
【００７４】
検体ラック搬送部２０上に停止している検体ラックの第一のポジションにある検体から採取された試料は、図示しないイオン選択性電極によって測定され、測定結果として図示しないプリンターやディスプレイに出力される。
【００７５】
なお、電解質分析部２に設定されている測定項目が、第一のポジションにある検体にさらに依頼されている場合には、上記のサンプリング動作が繰り返される。さらに、第二以降にある検体についても上記説明と同様な動作が繰り返され、ひとつの検体ラック上にある全ての検体について電解質分析部２に設定されている測定項目のサンブリングが終了するまで繰り返される。
【００７６】
次に、電解質分析部２での試料サンプリングの終了した検体ラック４０ｃは、分析部Ａ３に設定されている測定項目が検体ラック上に並べられた全ての検体に依頼されているかどうかを、図示しない制御部のコンピュータにより判別される。ひとつでも測定依頼がなされている場合には、分析部Ａ３まで運ばれる。
【００７７】
上記分析部Ａ３には、引込みバッファ３３ａが構成されており、検体ラック搬送部２０から検体ラック４０ｄをサンプリング部３４ａに引込み、検体ラックか４０ｄから採取された試料は、サンプルプローブ３２ｂにより一定量反応ディスク３５ａに分注された後、試薬保冷庫３０に収納された試薬容器３１から、一定量の試薬が試薬サンプルプローブにより反応ディスク３５ａに分注され、一定時間反応した後、図示しない光度計によって測定され、測定結果は図示しないプリンターやディスプレイに出力される。
【００７８】
なお、分析部Ａ３に設定されている測定項目が、第一のポジションにある検体にさらに依頼されている場合には、上記のサンプリング動作が繰り返される。さらに第二以降にある検体についても上記説明と同様な動作が繰り返され、ひとつの検体ラック上にある全ての検体について分析部Ａ３上に設定されている測定項目のサンブリングが終了するまで繰り返される。
【００７９】
次に、分析部Ａ３での試料サンプリングの終了した検体ラックは、分析部Ｂ４に設定されている測定項目が検体ラック上に並べられた全ての検体に依頼されているかどうかを、図示しない制御部のコンピュータにより判別される。ひとつでも測定依頼がなされている場合には、検体ラック排出部３７ａにより検体ラック搬送部２０に排出され、分析部Ｂ４まで運ばれ、分析部Ｂ４に設置されている引込みバッファ３３ｂによってサンプリング部３４ｂまで搬送された後、サンプルプローブ３２ｃによって採取された試料は、一定量反応ディスク３５ｃに分注された後、一定量の試薬が試薬ディスク３６に設置された試薬から試薬プローブ３８により反応ディスク３５ｂに分注され、一定時間反応した後、図示しない光度計によって測定され、測定結果として図示しないプリンターやディスプレイに出力される。
【００８０】
なお、分析部Ｂ４での試料サンプリングが終了した検体ラックは、検体ラック排出部３７ｂまで運ばれ、検体ラック排出部３７ｂによってラック搬送部２０に戻され再検バッファ５に運ばれる。
【００８１】
再検バッファ５に運ばれた検体ラック４０ｆは、分析作業が完了するまでここで待機しており、図示しない制御部のコンピュータにより分析作業に異常のない検体ラックは検体収納部に６に運ばれる。
【００８２】
また、分析作業に異常のあった検体ラックは、検体ラック搬送部２０に戻され、該当する分析部に再送され、上記した分析作業を再度行う。
【００８３】
また、検体投入部１の左上端部には、緊急検体投入部１３があり、検体投入部１に検体ラックがある状態で、緊急検体投入部１３に検体ラック４０ｈが置かれた場合には、検体投入部１にある検体に優先して検体ラック４０ｈが検体ラック搬送部２０に搬送される。
【００８４】
一方、電解質分析部２での試料サンプリングが終了した後、分析部Ａ３や分析部Ｂ４に設置された測定項目への依頼が全くなかった場合には、検体ラックは検体ラック搬送部２０上を検体収納部６まで運ばれ、検体収納部６に収納される。
【００８５】
また、電解質分析部２での試料サンプリングが終了した後、さらに、分析部Ａ３での試料サンプリングが終了した後、分析部Ｂ４に設置された測定項目への依頼が全くなかった場合には、検体ラックはラック搬送部２０上を検体収納部６まで運ばれ、検体収納部６に収納される。
【００８６】
上記のように検体ラック搬送部２０は、各装置と独立して構成されているので、複数の分析部の内の一つが故障した場合において、他の分析部による分析作業が可能であれば、完全に分析作業を停止する必要が無い。
【００８７】
図８は分析部の交換を示す概略図である。本発明の自動分析装置は、上記のように寸法が規格化されており、また、検体ラック搬送部２０により各分析部が連結されている。
【００８８】
このことから、例えば、分析部Ｂ４が故障したり、老朽化あるいは機能不足などの理由から交換を行うときには、検体ラック搬送部２０から分析部Ｂ４を外し、あらたに分析部Ｃ５０を上記分析部Ｂ４を外してできた空間に挿入し、検体ラック搬送部２０と接続することで他の装置を動かすことなく短時間に容易に交換ができる。
【００８９】
なお、本実施例では、検体ラック搬送部２０に沿って、各装置を一直線状に配置して説明したが、本発明は検体ラック搬送部２０の配置を変更するだけで、装置の配置を容易に変更することができる。
【００９０】
図９は本発明の生化学分析装置の他の配置を示す概略図である。なお、図１から図８において説明した部位と同一なものは、同一符号で示し詳細な説明を省略する。
【００９１】
図９（ａ）は検体ラック搬送部２０ａ、ｂ、ｃをコの字状に配置し、検体ラック搬送部２０ａと検体ラック搬送部２０ｂとの間と、検体ラック搬送部２０ｂと検体ラック搬送部２０ｃとの間に検体ラック４０の進路方向を変える回転子６０ａ、ｂを構成している。上記コの字状に配置した検体ラック搬送部２０ａ、ｃに沿わせて検体投入部１から検体収納部６を配置する。
【００９２】
また、図９（ｂ）は、検体ラック搬送部２０ａ、ｂ、ｃをコの字状に配置し、検体ラック搬送部２０ａと検体ラック搬送部２０ｂとの間と、検体ラック搬送部２０ｂと検体ラック搬送部２０ｃとの間に検体ラック４０の進路方向を変える回転子６０ａ、ｂを構成している。
【００９３】
また、検体ラック搬送部２０ａと検体ラック搬送部２０ｂとの間と、検体ラック搬送部２０ｂと検体ラック搬送部２０ｃとの間にコーナテーブル６１ａ、ｂを構成している。このコーナテーブル６１ａ、ｂは、検査作業で使用する周辺装置の載置台として利用しても良く、コーナテーブル６１ａ，ｂを消耗品などの収納台として利用しても良い。
【００９４】
コの字状に配置した検体ラック搬送部２０ａ、ｂ、ｃに沿わて検体投入部１から検体収納部６を配置する。
【００９５】
上記図９（ａ）、図９（ｂ）の配置によれば、直線距離が短い検査室に配置することが可能であり、配置された装置の間に作業空間ができるので、その作業空間を挟んで装置が対面して配置されることになり、一度に沢山の装置を監視することができ、さらには、検査技師の移動距離が短くなる。
【００９６】
特に、配置された装置が開放された側に、検体投入部１と検体収納部６とが向かいあうように配置されるので、検査技師の移動距離が極めて短くなる。
【００９７】
また、図９（ｃ）は、検体ラック搬送部２０ａ、ｂをＬの字状に配置し、検体ラック搬送部２０ａと検体ラック搬送部２０ｂとの間に、検体ラック４０の進路方向を変える回転子６０ａを構成している。
【００９８】
また、検体ラック搬送部２０ａと検体ラック搬送部２０ｂとの間コーナテーブル６１ａを構成している。
【００９９】
上記Ｌの字状に配置した検体ラック搬送部２０ａ、ｂに沿わて検体投入部１から検体収納部６を配置する。
【０１００】
上記図９（ｃ）の配置によれば、直線距離が短い検査室や検査室のコーナー部に配置することが可能であり、一度に沢山の装置を監視することができ、さらには、検査技師の移動距離が短くなる。
【０１０１】
また、図９（ｄ）は、検体ラックの進行方向を直角に変更させるために、Ｌ字状の屈曲モジュール７０を構成させ、上記屈曲モジュール７０の両端に、検体ラック搬送部２０ａと検体ラック搬送部２０ｂとをそれぞれ配置している。
【０１０２】
さらに、上記屈曲モジュール７０と上記検体ラック搬送部２０ｂとの間に、検体ラック４０の進路方向を変える回転子６０ａを構成している。
【０１０３】
なお上記屈曲モジュール７０は、図示しないが、検体ラック搬送部２０ａから搬送された検体ラックを、分析部Ｂ４側にスライドさせ、検体ラックが上記屈曲モジュール７０の分析部Ｂ４側の角に到着すると、上記屈曲モジュール７０の回転子６０ａ側にスライドさせるものである。
【０１０４】
一般的な病院建築は１スパン（６０００ｍｍ）毎に６００ｍｍ〜１０００ｍｍの支柱６２が構成されているが、上記図９（ｃ）の配置によれば、上記支柱６２を避けて装置を配置することができるので、設置スペースを有効に利用することができる。
【０１０５】
また、図９（ｅ）は、検体ラック搬送部２０ａと検体ラック搬送部２０ｂとを背中合わせに配置し、検体ラック搬送部２０ａと検体ラック搬送部２０ｂとには、検体ラック４０の進路方向を変える回転子６０ａ、ｂを構成している。
【０１０６】
上記背中合わせに配置された検体ラック搬送部２０ａ、ｂに沿わて検体投入部１から検体収納部６を配置する。
【０１０７】
上記図９（ｅ）の配置によれば、直線距離が短い検査室に配置することが可能であり、検査室の設置スペースの低減を図ることができる。
【０１０８】
さらにまた、本実施例の生化学分析装置は、検体投入部１と電解質分析部２と分析部Ａ３と分析部Ｂ４と再検バッファ５と検体収納部６と検体ラック搬送部２０とから構成されているとして説明したが、検査設備にあわせて多種の分析部を選択したり、同一種類の分析部を複数選択し、組み合わせて構成することも可能である。
【０１０９】
また、図示しないが、分析のための前処理装置である遠心分離機や、検体ストッカなどの周辺機器を組み合わせて使用しても良い。
【０１１０】
【発明の効果】
以上説明したように本発明によれば、外観寸法が標準化されそれぞれの機器が調和のとれた統一感を与え、さらに加えて、検査室は、低い位置で高さが統一されていることから検査室の全体が見渡せて明るく広々とした印象を与え、人の感覚機能を制御し検査技師に快適な環境を提供することができる。
【図面の簡単な説明】
【図１】本発明の生化学分析装置の外観を示す斜視図である。
【図２】図１における分析部Ａの縦断面である。
【図３】図１における分析部Ａと作業者の高さ寸法の関係を示す図である。
【図４】図１における分析部Ｂにおける作業範囲を示す図である。
【図５】本発明の自動的に行う生化学分析装置の横幅寸法の関係を示す平面図である。
【図６】本発明の生化学分析装置の構造体の関係を示す概念図である。
【図７】検体の流れを示す概略図である。
【図８】分析部の交換を示す概略図である。
【図９】本発明の生化学分析装置の他の配置を示す概略図である。
【符号の説明】
１  検体投入部
２  電解質分析部
３  分析部Ａ
４  分析部Ｂ
５  再検バッファ
６  検体収納部
７  ベース部
８ａ〜８ｒ  スリット
９ａ、９ｂ  機能識別部
１０ａ、１０ｂ  ステージ
１１ａ〜１１ｃ  蓋
１２  天板
１４〜１６  サブモジュール
２０  検体ラック搬送部
２１  検体ラック搬送部の往路
２２  検体ラック搬送部の復路
２３  蓋
３０  試薬保冷庫
３１  試薬容器
３２  試薬溶液用チューブ
３３  引込みバッファ
３３’  開閉蓋
３５  反応ディスク
３８  試薬プローブ
３７  検体ラック排出部
【図１】
0003801547.tif 000002
【図２】
0003801547.tif 000003
【図３】
0003801547.tif 000004
【図４】
0003801547.tif 000005
【図５】
0003801547.tif 000006
【図６】
0003801547.tif 000007
【図７】
0003801547.tif 000008
【図８】
0003801547.tif 000009
【図９】
0003801547.tif 000010